(57)【要約】【課題】電池が深放電された状態で確実に充電を禁止して、より高い安全性を実現する。【解決手段】電源装置は、電池１と、電池１の充電を制御する充電スイッチング素子２と、充電スイッチング素子２をオフ状態に切り換える第１のオフ回路３と第２のオフ回路４とを備える。第１のオフ回路３は、電池電圧をデジタル処理して電池１の深放電を判定して充電スイッチング素子２をオフ状態に切り換える演算回路５を備える。第２のオフ回路４は、第１のオフ回路３と充電スイッチング素子２の入力側との間に直列に接続され、電池電圧が深放電電圧以下の状態で充電スイッチング素子２をオフ状態に切り換える強制オフスイッチ６を備える。電池電圧が深放電電圧以下の充電禁止電圧において、第２のオフ回路４の強制オフスイッチ６がオフ状態となって、充電スイッチング素子２をオフ状態に切り換えている。【選択図】図１
2020141433.tif 000002
【特許請求の範囲】
【請求項１】
電池と、
前記電池と直列に接続されて前記電池の充電を制御する半導体素子からなる充電スイッチング素子と、
電池電圧で前記充電スイッチング素子をオフ状態に切り換える第１のオフ回路と、
電池電圧で前記充電スイッチング素子をオフ状態に切り換える第２のオフ回路とを備え、
前記第１のオフ回路は、
電池電圧を検出して、検出電圧をデジタル処理して電池の深放電を判定して前記充電スイッチング素子をオフ状態に切り換える演算回路を備え、
前記第２のオフ回路は、
前記第１のオフ回路と前記充電スイッチング素子の入力側との間に直列に接続され、かつ、電池電圧が入力されて、入力される電池電圧が深放電電圧以下の状態で前記充電スイッチング素子をオフ状態に切り換えられる強制オフスイッチを備え、
前記電池の電圧が深放電電圧以下の充電禁止電圧において、
前記第２のオフ回路の前記強制オフスイッチがオフ状態となって、前記充電スイッチング素子をオフ状態に切り換えられることを特徴とする電源装置。
【請求項２】
請求項１に記載する電源装置であって、
前記強制オフスイッチが、電池電圧をゲートに入力してなるＦＥＴで、
前記ＦＥＴのカットオフ特性が、電池電圧が深放電電圧まで低下すると電流を遮断する特性で、
前記ＦＥＴのソースとドレインが前記第１のオフ回路と前記充電スイッチング素子の入力側との間に直列に接続されてなることを特徴とする電源装置。
【請求項３】
請求項２に記載する電源装置であって、
前記第２のオフ回路が、前記強制オフスイッチである前記ＦＥＴのゲートに接続してなる分圧抵抗を備え、
前記分圧抵抗が電池電圧を分圧してＦＥＴのゲートに入力してなることを特徴とする電源装置。
【請求項４】
請求項１ないし３のいずれかに記載する電源装置であって、
前記第１のオフ回路の演算回路が、前記電池電圧をデジタル信号に変換して電池電圧を検出するＡ／Ｄコンバータを備えることを特徴とする電源装置。
【請求項５】
請求項１ないし４のいずれかに記載する電源装置であって、
前記第１のオフ回路の前記演算回路がＣＰＵを備え、
前記ＣＰＵが、電池電圧をデジタル処理して電池の深放電を判定することを特徴とする電源装置。
【請求項６】
請求項１ないし５のいずれかに記載する電源装置であって、
前記第２のオフ回路が前記充電スイッチング素子をオフ状態に切り換える第２の深放電電圧が、
前記第１のオフ回路が前記充電スイッチング素子をオフ状態に切り換える第１の深放電電圧よりも低く設定してなることを特徴とする電源装置。
【発明の詳細な説明】
【技術分野】
【０００１】
本発明は、電池を備える電源装置に関し、とくに深放電された電池の充電を禁止して安全性を向上する電源装置に関する。
【背景技術】
【０００２】
非水系電解液二次電池であるリチウムイオン電池等の二次電池は、最低電圧よりもさらに放電されて深放電領域になると、負極材の銅が銅イオンとなり、この状態で充電されると、銅イオンが銅として析出し、電池が内部短絡するため、発火や破裂等のおそれがある。この弊害は、深放電領域まで放電された電池の充電を禁止することで解消できる。
【０００３】
深放電された電池の充電を禁止する装置は開発されている。（特許文献１参照）
【先行技術文献】
【特許文献】
【０００４】
【特許文献１】特開２０１３−２１１９７５号公報
【発明の概要】
【発明が解決しようとする課題】
【０００５】
特許文献１の電源装置を図４に示す。この電源装置は、電池９１と直列に充電スイッチング素子９２を接続している。充電スイッチング素子９２は入力側に切換回路９３を接続している。切換回路９３は、電池９１の深放電を検出してオフ信号を出力する演算回路９５からのオフ信号で、充電スイッチング素子９２をオフ状態に切り換える。切換回路９３は、電池電圧をデジタル処理して深放電を判定するＣＰＵ９６を内蔵する演算回路９５と、電池電圧から深放電を検出する深放電検出回路９４とを接続している。深放電検出回路９４は、電池９１の電圧を基準電圧に比較して深放電を検出し、深放電を検出するとオフ信号を切換回路９３に出力する。ＣＰＵ９６を内蔵する演算回路９５は、電池９１の電圧を検出し、検出電圧をデジタル信号に変換して演算処理して電池９１の深放電を判定し、深放電と判定するとオフ信号を切換回路９３に出力する。切換回路９３は、演算回路９５と深放電検出回路９４の両方からオフ信号が入力されて、充電スイッチング素子９２をオフ状態に切り換えるが、深放電検出回路９４のオフ信号を優先して充電スイッチング素子９２をオフ状態に切り換える。したがって、演算回路９５が正常に動作しない状態においても、深放電検出回路９４で電池９１の深放電を検出して充電スイッチング素子９２をオフ状態に切り換えする。そのため、ＣＰＵ９６が演算処理して電池９１の深放電を検出して充電スイッチング素子９２をオフ状態に切り換える電源装置よりも、深放電時に確実に電池９１の充電を禁止できる。
【０００６】
図４の電源装置は、ＣＰＵ９６の演算回路９５が故障しても、深放電検出回路９４で充電スイッチング素子９２をオフ状態に切り換えできるが、切換回路９３が演算回路９５と深放電検出回路９４から入力されるオフ信号を切り換えて、充電スイッチング素子９２をオフ状態に切り換えるので、演算回路９５と深放電検出回路９４が正常に動作する状態にあっても、切換回路９３およびＦＥＴ制御回路が故障すると、電池９１が深放電された状態で充電を禁止できない。
【０００７】
本発明は、さらに以上の弊害を防止することを目的として開発されたもので、本発明の目的の一は、電池が深放電された状態で確実に充電を禁止して、より高い安全性を実現する電源装置を提供することにある。
【課題を解決するための手段】
【０００８】
本発明のある態様の電源装置は、電池１と、電池１と直列に接続されて電池１の充電を制御する半導体素子からなる充電スイッチング素子２と、電池電圧で充電スイッチング素子２をオフ状態に切り換える第１のオフ回路３と、電池電圧で充電スイッチング素子２をオフ状態に切り換える第２のオフ回路４とを備えている。第１のオフ回路３は、電池電圧を検出して、検出電圧をデジタル処理して電池１の深放電を判定して充電スイッチング素子２をオフ状態に切り換える演算回路５を備えている。第２のオフ回路４は、第１のオフ回路３と充電スイッチング素子２の入力側との間に直列に接続され、かつ、電池電圧が入力されて、入力される電池電圧が深放電電圧以下の状態で充電スイッチング素子２をオフ状態に切り換える強制オフスイッチ６を備えている。電源装置は、電池１の電圧が深放電電圧以下の充電禁止電圧において、第２のオフ回路４の強制オフスイッチ６がオフ状態となって、充電スイッチング素子２をオフ状態に切り換えている。
【発明の効果】
【０００９】
以上の電源装置は、電池が深放電された状態では確実に電池の充電を禁止して高い安全性を確保する。
【図面の簡単な説明】
【００１０】
【図１】本発明の一実施形態にかかる電源装置のブロック回路図である。
【図２】本発明の他の実施形態にかかる電源装置のブロック回路図である。
【図３】本発明の他の実施形態にかかる電源装置のブロック回路図である。
【図４】従来の電源装置のブロック図である。
【発明を実施するための形態】
【００１１】
以下、図面に基づいて本発明を詳細に説明する。なお、以下の説明では、必要に応じて特定の方向や位置を示す用語（例えば、「上」、「下」、及びそれらの用語を含む別の用語）を用いるが、それらの用語の使用は図面を参照した発明の理解を容易にするためであって、それらの用語の意味によって本発明の技術的範囲が制限されるものではない。また、複数の図面に表れる同一符号の部分は同一もしくは同等の部分又は部材を示す。
さらに以下に示す実施形態は、本発明の技術思想の具体例を示すものであって、本発明を以下に限定するものではない。また、以下に記載されている構成部品の寸法、材質、形状、その相対的配置等は、特定的な記載がない限り、本発明の範囲をそれのみに限定する趣旨ではなく、例示することを意図したものである。また、一の実施の形態、実施例において説明する内容は、他の実施の形態、実施例にも適用可能である。また、図面が示す部材の大きさや位置関係等は、説明を明確にするため、誇張していることがある。
【００１２】
本発明の第１の発明の電源装置は、電池と、電池と直列に接続されて電池の充電を制御する半導体素子からなる充電スイッチング素子と、電池電圧で充電スイッチング素子をオフ状態に切り換える第１のオフ回路と、電池電圧で充電スイッチング素子をオフ状態に切り換える第２のオフ回路とを備え、第１のオフ回路は、電池電圧を検出して、検出電圧をデジタル処理して電池の深放電を判定して充電スイッチング素子をオフ状態に切り換える演算回路を備え、第２のオフ回路は、第１のオフ回路と充電スイッチング素子の入力側との間に直列に接続され、かつ電池電圧が入力されて、入力される電池電圧が深放電電圧以下の状態で充電スイッチング素子をオフ状態に切り換える強制オフスイッチを備え、電池の電圧が深放電電圧以下の充電禁止電圧において、第２のオフ回路の強制オフスイッチがオフ状態となって、充電スイッチング素子をオフ状態に切り換えている。
【００１３】
以上の電源装置は、極めて簡単な回路構成とし、部品コストと組み立てコストの両方を低減しながら、電池が深放電された状態で、演算回路が故障しても、電池の充電を確実に禁止して、高い安全性を確保できる特長がある。それは、以上の電源装置が、充電スイッチング素子の入力側に、充電スイッチング素子を強制的にオフに切り換える第２のオフ回路を接続して、この第２のオフ回路には、電池電圧が深放電電圧以下の状態でオフ状態に切り換える強制オフスイッチを設け、この強制オフスイッチでもって、切換回路を介することなく充電スイッチング素子を強制的にオフ状態に切り換えるからである。
【００１４】
さらに、以上の電源装置は、第１のオフ回路からのオフ信号と、第２のオフ回路からのオフ信号を切り換えて、充電スイッチング素子をオンオフに制御する切換回路を省略する簡単な回路構成としながら、電池が深放電された状態にあっては、確実に電池の再充電を禁止できる特徴がある。
【００１５】
本発明の第２の発明の電源装置は、強制オフスイッチが、電池電圧をゲートに入力してなるＦＥＴで、このＦＥＴのカットオフ特性が、電池電圧が深放電電圧まで低下すると電流を遮断する特性で、ＦＥＴのソースとドレインを第１のオフ回路と充電スイッチング素子の入力側との間に直列に接続している。
【００１６】
以上の電源装置は、第２のオフ回路を極めて簡単な回路構成としながら、電池電圧が充電禁止電圧まで低下する状態にあっては、電池の充電を確実に禁止できる特徴がある。それは、第２のオフ回路を、電池電圧が深放電電圧まで低下すると、電流を遮断するカットオフ特性のＦＥＴのみからなる簡単な回路構成として、電池電圧を基準電圧に比較して深放電を判定するコンパレータなどの複雑な回路を必要とせず、部品点数を少なくしながら、確実に動作して、電池の充電禁止電圧においては、充電スイッチング素子を確実にオフ状態に切り換えするからである。したがって、以上の電源装置は、電池が深放電電圧まで放電された状態では、演算回路のみでなく、極めて簡単な回路構成のＦＥＴのみからなる強制オフスイッチでもって、充電スイッチング素子をオフ状態に切り換えて、充電禁止電圧の電池の再充電を確実に禁止でき、深放電された電池の再充電による弊害を確実に防止できる。
【００１７】
本発明の第３の発明の電源装置は、第２のオフ回路が、強制オフスイッチであるＦＥＴのゲートに接続してなる分圧抵抗を備え、分圧抵抗が電池電圧を分圧してＦＥＴのゲートに入力している。
【００１８】
以上の電源装置は、分圧抵抗の電気抵抗を調整して、電池が充電禁止電圧まで低下した状態で、強制オフスイッチのＦＥＴを強制的にオフ状態に切り換えできる。また、分圧抵抗の電気抵抗で、直列接続している電池の個数も調整して、電池の充電禁止電圧で強制オフスイッチのＦＥＴを確実にオフ状態に切り換えできる。
【００１９】
本発明の第４の発明の電源装置は、第１のオフ回路の演算回路が、電池電圧をデジタル信号に変換して電池電圧を検出するＡ／Ｄコンバータを備えている。
【００２０】
本発明の第５の発明の電源装置は、第１のオフ回路の演算回路がＣＰＵを備え、ＣＰＵが、電池電圧をデジタル処理して電池の深放電を判定している。
【００２１】
本発明の第６の発明の電源装置は、第２のオフ回路が充電スイッチング素子をオフ状態に切り換える第２の深放電電圧を、第１のオフ回路が充電スイッチング素子をオフ状態に切り換える第１の深放電電圧よりも低く設定している。
【００２２】
以上の電源装置は、第１のオフ回路が電池の再充電を禁止する第１の深放電電圧よりも、第２のオフ回路が電池の再充電を禁止する第２の深放電電圧を低く設定しているので、電池が放電されて次第に電圧が低下して第１の深放電電圧まで電圧が低下すると、第１のオフ回路が充電スイッチング素子をオフ状態に切り換えて電池の再充電を停止し、さらに電池が放電されて電圧が低下して第２の深放電電圧まで低下すると、第２のオフ回路が電池の再充電を禁止する。したがって、この電源装置は、電池の電圧が第１の深放電電圧まで低下して再充電が禁止されない状態においても、さらに電池の電圧が第２の深放電電圧まで低下すると、さらに第２のオフ回路が電池の再充電を禁止するので、充電禁止電圧まで低下した電池の再充電をより確実に阻止できる。
【００２３】
充電禁止電圧は、低く設定して電池の使用範囲を広くできるが、充分な安全性の確保が難しくなる。反対に、充電禁止電圧を高く設定して安全性を高くできるが、ユーザーが使用できる状態を制限して有効に利用できなくなる。第１のオフ回路と第２のオフ回路は、電池の再充電を禁止する充電禁止電圧の誤差を皆無にできない。充電禁止電圧の誤差は、安全性を低下し、またユーザーが使用できる範囲を制限する。誤差で充電禁止電圧が低くなると、安全性が低下し、充電禁止電圧が高くなるとユーザーの使用範囲を狭くするからである。第１のオフ回路は、第２のオフ回路よりも高い精度で充電禁止電圧を設定できるので、第１のオフ回路が正常に動作する状態にあっては、第１のオフ回路で電池の再充電を禁止して、ユーザーの使用範囲を制限しない状態とする。第１のオフ回路が正常に動作しないと、安全性を確保できないので、この状態では、第１のオフ回路よりも低い充電禁止電圧に設定している、第２のオフ回路が動作して電池の再充電を禁止する。充電禁止電圧を低く設定している第２のオフ回路は、第１のオフ回路に匹敵する安全性を確保できないが、第１のオフ回路が故障する確率が極めて低いので、第１のオフ回路が故障する非常時には、第２のオフ回路が電池の再充電を禁止して、安全性を確保する。
【００２４】
（実施の形態１）
図１の回路図に示す電源装置は、電池１と、電池１と直列に接続され、オンオフに切り換えられて電池１の充電を制御する半導体素子からなる充電スイッチング素子２と、電池電圧で充電スイッチング素子２をオフ状態に切り換える第１のオフ回路３と、電池電圧で充電スイッチング素子２をオフ状態に切り換える第２のオフ回路４とを備える。
【００２５】
第１のオフ回路３は、電池電圧を検出して、検出する電圧をデジタル処理して電池１の深放電を判定して充電スイッチング素子２をオフ状態に切り換える演算回路５を備える。演算回路５は、電池電圧をデジタル信号に変換するＡ／Ｄコンバータ１１と、Ａ／Ｄコンバータ１１から出力されるデジタル信号の電池電圧を演算処理するＣＰＵ１２と、深放電電圧を記憶しているメモリ１３とを備える。この演算回路５は、電池電圧をＡ／Ｄコンバータ１１でデジタル信号に変換し、デジタル信号に変換された電池電圧を、ＣＰＵ１２でもってメモリ１３に記憶している深放電電圧に比較し、電池電圧が深放電電圧よりも低下すると、オフ信号を出力して、充電スイッチング素子２をオフ状態に切り換える。
【００２６】
演算回路５から出力されるオフ信号は、第２のオフ回路４の強制オフスイッチ６であるＦＥＴを介して充電スイッチング素子２のゲートに入力される。第２のオフ回路４のＦＥＴがオン状態にあると、ＦＥＴを介して演算回路５から出力されるオフ信号が充電スイッチング素子２をオフ状態に切り換える。第２のオフ回路４のＦＥＴがオフ状態にあると、演算回路５からのオフ信号はＦＥＴに遮断されて充電スイッチング素子２のゲートに入力されないが、第２のオフ回路４のＦＥＴがオフ状態となって充電スイッチング素子２はオフ状態となる。
【００２７】
充電スイッチング素子２は、ゲート電圧がオフ電圧となって電池１の電流を遮断し、ゲート電圧がオン電圧となって電池１の充放電を許容する。充電スイッチング素子２は、第２のオフ回路４のＦＥＴがオフ状態となってゲート電圧をオフ電圧とし、あるいは第２のオフ回路４のＦＥＴがオン状態にあって、第１のオフ回路３が出力するオフ信号をＦＥＴを介してゲートに入力する状態でオフ状態となって電池１の電流を遮断する。すなわち、第１のオフ回路３と第２のオフ回路４の何れか一方がオフ状態となって、充電スイッチング素子２は電池１の電流を遮断するので、第１のオフ回路３が正常に動作しない状態においても、第２のオフ回路４が動作して、電池電圧が深放電電圧まで低下すると充電スイッチング素子２をオフ状態として電池１の再充電を禁止する。
【００２８】
第２のオフ回路４は、第１のオフ回路３の出力信号によらず、電池電圧が深放電電圧以下になると、強制的に充電スイッチング素子２をオフ状態に切り換える。このことを実現するために、第２のオフ回路４は、第１のオフ回路３と充電スイッチング素子２の入力側との間に直列に接続している。第２のオフ回路４は、電池電圧が深放電電圧以下に低下すると、オフ状態となる強制オフスイッチ６を備える。強制オフスイッチ６は、充電スイッチング素子２と第１のオフ回路３との間に接続されて、電池１の電圧が深放電電圧以下の充電禁止電圧になると、オフ状態となって、充電スイッチング素子２をオフ状態に切り換える。
【００２９】
強制オフスイッチ６は電池電圧をゲートに入力しているＦＥＴである。このＦＥＴは、ゲートに入力される電池電圧が深放電電圧以下に低下すると電流を遮断するカットオフ特性のＦＥＴである。オフ状態においては、第１のオフ回路３の出力信号によらず、充電スイッチング素子２を強制的にオフ状態に切り換えるために、ＦＥＴは、ソースとドレインを第１のオフ回路３と充電スイッチング素子２の入力側との間に直列に接続している。すなわち、第１のオフ回路３のオフ信号が強制オフトランジスタのＦＥＴを介して充電スイッチング素子２のゲートに入力する回路構成としている。強制オフスイッチ６のＦＥＴがオン状態にあると、第１のオフ回路３から出力されるオフ信号が充電スイッチング素子２のゲートに入力されるので、第１のオフ回路３がオフ信号を出力すると充電スイッチング素子２はオフ状態となって電池１の充電を禁止する。第１のオフ回路３が正常に動作しない状態では、第２のオフ回路４のＦＥＴがオフ状態となって、充電スイッチング素子２を強制的にオフ状態に切り換える。
【００３０】
強制オフスイッチ６のＦＥＴは、電池電圧を分圧抵抗７で分圧してゲートに入力される。分圧抵抗７は、電池電圧を所定の割合で分圧してＦＥＴのゲートに入力する。分圧抵抗７が電池電圧を分圧する比率は、電池電圧が深放電電圧以下になると、ＦＥＴのゲート電圧が電流を遮断するオフ電圧以下となるように設定される。第２のオフ回路４は、図１に示すように、ひとつの電池１の電圧を分圧してＦＥＴのゲートに入力し、あるいは図２に示すように、直列に接続している複数の電池１の電圧を分圧してＦＥＴのゲートに入力する。ＦＥＴは、一定のカットオフ特性で設定電圧よりも入力電圧が小さいと、オフ状態となる。分圧抵抗７は、電池１の電圧が深放電電圧になると、ＦＥＴがカットオフしてオフ状態となるように抵抗値を設定する。
【００３１】
電源装置は、第１のオフ回路３と第２のオフ回路４が、充電スイッチング素子２をオフ状態に切り換える深放電電圧を同じ電圧値に設定する。この電源装置は、電池１をリチウムイオン二次電池とする装置において、例えば、深放電電圧、すなわち充電禁止電圧を２．００Ｖ／セルに設定する。ただし、電源装置は、第１のオフ回路３と第２のオフ回路４が、充電スイッチング素子２をオフ状態に切り換える深放電電圧を異なる電圧値とすることもできる。異なる深放電電圧で充電スイッチング素子２をオフ状態に切り換える電源装置は、好ましくは、第２のオフ回路４が充電スイッチング素子２をオフ状態に切り換える第２の深放電電圧を、第１のオフ回路３が、充電スイッチング素子２をオフ状態に切り換える第１の深放電電圧よりも低く設定する。この電源装置は、電池１をリチウムイオン二次電池とする装置において、例えば第１の深放電電圧を２．１０Ｖ、第２の深放電電圧を２．００Ｖに設定する。
【００３２】
以上の電源装置は、第１のオフ回路３が電池１の再充電を禁止する第１の深放電電圧を、第２のオフ回路４が電池１の再充電を禁止する第２の深放電電圧よりも高く設定しているので、電池１が放電されて次第に電圧が低下して、第１の深放電電圧まで電圧が低下すると、先に第１のオフ回路３がオフ信号を出力して、充電スイッチング素子２をオフ状態に切り換えて電池１の再充電を停止するように動作する。さらに電池１が放電されて電圧が低下して第２の深放電電圧まで低下すると、第２のオフ回路４のＦＥＴがオフ状態となって、電池１の再充電を禁止する状態とする。この電源装置は、第１のオフ回路３が正常に動作しない状態となって、電池１の電圧が第１の深放電電圧まで低下するにもかかわらず、充電スイッチング素子２がオフ状態に切り換えられない状態においては、さらに電池１の電圧が第２の深放電電圧まで低下すると、第２のオフ回路４のＦＥＴがオフ状態となって、充電スイッチング素子２のゲート電圧をカットオフ電圧以下として、電池１の再充電を禁止する。したがって、第１のオフ回路３が正常に動作しない状態においても、電池電圧が充電禁止電圧まで低下する状態では、第２のオフ回路４が電池１の再充電を禁止する。
【００３３】
ところで、電源装置は、電池１の再充電を禁止する深放電電圧を低く設定して電池１の使用範囲を広くできるが、充分な安全性の確保が難しくなる。反対に、充電禁止電圧を高く設定して安全性を高くできるが、実質的に充放電できる容量を制限して実質容量が小さくなる。電池１の再充電を禁止する深放電電圧による電池１の実質容量と安全性は、相反する特性であることから、予め設定している深放電電圧で正確に電池１の再充電を禁止することは大切である。第１のオフ回路３は、演算回路５で電池１の検出電圧をデジタル処理して電池１の深放電を判定して充電スイッチング素子２をオフ状態に切り換えるので、第２のオフ回路４よりも高い精度で充電禁止電圧を設定できる。第１のオフ回路３が正常に動作する状態にあっては、第１のオフ回路３が電池１の再充電を禁止するので、電池１の実質容量を制限することなく安全に再充電を禁止できる。
【００３４】
第２のオフ回路４の充電禁止電圧を第１のオフ回路３よりも低く設定している電源装置は、高精度に電池１の再充電を禁止する第１のオフ回路３が正常に動作しない状態では、第２のオフ回路４が動作して電池１の再充電を禁止するので、安全性も確保できる。
【００３５】
図１と図２の電源装置は、充電スイッチング素子２を電池１のマイナス側に接続しているが、電源装置は、図３に示すように、充電スイッチング素子２を電池１のプラス側に接続することもできる。
【産業上の利用可能性】
【００３６】
本発明は、充放電可能な電池を備える電源装置であって、とくに深放電された電池の充電を禁止して安全性を向上できる電源装置として好適に使用できる。
【符号の説明】
【００３７】
１…電池
２…充電スイッチング素子
３…第１のオフ回路
４…第２のオフ回路
５…演算回路
６…強制オフスイッチ
７…分圧抵抗
１１…Ａ／Ｄコンバータ
１２…ＣＰＵ
１３…メモリ
９１…電池
９２…充電スイッチング素子
９３…切換回路
９４…深放電検出回路
９５…演算回路
９６…ＣＰＵ
【図１】
2020141433.tif 000003
【図２】
2020141433.tif 000004
【図３】
2020141433.tif 000005
【図４】
2020141433.tif 000006